(57)【要約】      （修正有）【課題】高い収納性を有する構造であり、低コストで高耐久性を有する、壊れにくいヘッドホンを提供する。【解決手段】ヘッドホン５２Ａは、直状の第１状態と湾曲状の第２状態とを選択的に維持する細長いヘッドバンド５１Ａと、ヘッドバンドに支持され音を出力する本体部１１、１２とを備える。ヘッドバンドは、第２状態における平均曲率半径が所定値未満になることを規制する複数の規制ブロック２１を有する。【選択図】図６
2018207393.tif 000002
【特許請求の範囲】
【請求項１】
ヘッドホンにおける音を出力する本体部を支持又は支持可能とし、
直状の第１状態と湾曲状の第２状態とを選択的に維持するヘッドバンド。
【請求項２】
前記第２状態における平均曲率半径が所定値未満になることを規制する規制ブロックを有することを特徴とする請求項１記載のヘッドバンド。
【請求項３】
直状の第１状態と湾曲状の第２状態とを選択的に維持する細長いヘッドバンドと、
前記ヘッドバンドに支持され音を出力する本体部と、
を備えたヘッドホン。
【請求項４】
前記本体部は、前記ヘッドバンドに対し着脱自在とされていることを特徴とする請求項３記載のヘッドホン。
【請求項５】
前記ヘッドバンドは、
前記第１状態と前記第２状態とを選択的に維持する金属のプレートと、
前記プレートを覆う被覆部と、
を含み形成されていることを特徴とする請求項３又は請求項４記載のヘッドホン。
【請求項６】
前記ヘッドバンドは、
前記第２状態における平均曲率半径が所定値未満になることを規制する規制ブロックを有することを特徴とする請求項３〜５のいずれか１項に記載のヘッドホン。
【発明の詳細な説明】
【技術分野】
【０００１】
本発明は、ヘッドバンド及びそれを備えたヘッドホンに係り、特に、使用時と異なる形態にできて収納性に優れるヘッドバンドとそれを備えたヘッドホンとに関する。
【背景技術】
【０００２】
ヘッドバンドを有するいわゆるオーバーヘッドタイプのヘッドホンにおいて、収納性を高めるためにヘッドバンドを折り畳み可能としたものが知られており、一例が特許文献１に記載されている。
【先行技術文献】
【特許文献】
【０００３】
【特許文献１】特開２０１０−１６６２５８号公報
【発明の概要】
【発明が解決しようとする課題】
【０００４】
特許文献１に記載されているヘッドホンは、ヘッドバンドを複数の部分に分割し、互いを相対回動可能に連結するヒンジを備えた折り畳み構造を有する。
このヘッドバンドは、折り畳みできることで高い収納性を有する一方、構造が複雑で部品点数が多くコスト高になる。また、複雑な形状となるヒンジは樹脂で形成するのが好ましいため、ヒンジ部分の強度を高くしにくくなっており、高耐久性や壊れにくさの観点でも改善が望まれていた。
【０００５】
そこで、本発明が解決しようとする課題は、高い収納性を有する構造でありながら、低コストで、高耐久性を有し、壊れにくいヘッドバンド及びそれを備えたヘッドホンを提供することにある。
【課題を解決するための手段】
【０００６】
上記の課題を解決するために、本発明は次の構成を有する。
１）  ヘッドホンにおける音を出力する本体部を支持又は支持可能とし、
直状の第１状態と湾曲状の第２状態とを選択的に維持するヘッドバンドである。
２）  直状の第１状態と湾曲状の第２状態とを選択的に維持する細長いヘッドバンドと、
前記ヘッドバンドに支持され音を出力する本体部と、
を備えたヘッドホンである。
【発明の効果】
【０００７】
本発明によれば、高い収納性を有する構造でありながら、低コストで、高耐久性を有し、壊れにくい、という効果を奏する。
【図面の簡単な説明】
【０００８】
【図１】図１は、本発明の実施の形態に係るヘッドホンの実施例であるヘッドホン５２の第１の姿勢態様を説明するための斜視図である。
【図２】図２は、ヘッドホン５２の構成を説明するための組立図である。
【図３】図３は、ヘッドホン５２のヘッドバンド５１が備えるプレート１の状態遷移を説明するための横断面図である。
【図４】図４は、プレート１の状態遷移を説明するための側面図である。
【図５】図５は、ヘッドホン５２の頭部Ｈへの装着方法について説明するための斜視図である。
【図６】図６は、ヘッドホン５２の変形例であるヘッドホン５２Ａの第１状態を説明するための断面図である。
【図７】図７は、ヘッドホン５２Ａのヘッドバンド５１Ａが有するブロック２１を説明するための斜視図である。
【図８】図８は、ヘッドホン５２Ａの使用状態を説明するための部分断面の側面図である。
【発明を実施するための形態】
【０００９】
本発明の実施の形態に係るヘッドバンド及びそれを備えたヘッドホンを、実施例のヘッドバンド５１及びそれを備えたヘッドホン５２により説明する。
ヘッドバンド５１は、長手方向に直状形態となる第１状態と、長手方向に弧状に湾曲した形態となる第２状態と、のそれぞれにおいて、外力が付与されない限り安定した形態を維持すると共に、外力付与により両状態間で状態遷移するものである。
【００１０】
図１は、ヘッドバンド５１が第１状態にある場合の、ヘッドホン５２の全体態様を説明するための斜視図である。ヘッドホン５２は、この態様では実質的に使用できないので、以下、便宜的に不使用態様と称する。
まず、ヘッドホン５２の不使用態様を示す図１及び組み立て図である図２を参照して、ヘッドホン５２の構成を説明する。
【００１１】
ヘッドホン５２は、細長いヘッドバンド５１と、ヘッドバンド５１の両端部近くに取り付けられた本体部１１，１２と、を有する。本体部１１，１２は、ヘッドバンド５１に着脱自在とされている。
【００１２】
ヘッドバンド５１は、金属の細幅の薄板であるプレート１と、プレート１を露出しないように覆う樹脂製の被覆部２と、を有して形成されている。
プレート１は、図１のＳ３−Ｓ３位置での断面である横断面形状が、図３（ａ）に示されるように幅方向に湾曲させた状態で、長手方向に非湾曲で直状に延びる第１状態を自ら維持する。この第１状態のプレート１の側面図が、図４（ａ）に示されている。
【００１３】
また、第１状態のプレート１に対し、その湾曲に抗する折り曲げなどの外力を付与すると、横断面形状が図３（ｂ）に示されるように平坦になると共に、長手方向においては所定の面１ａが外側となるように湾曲した第２状態に遷移し、その状態を自ら維持する。ここで第２状態の平均曲率半径をＲ２ｖとする。
【００１４】
プレート１が、第１状態と第２状態とをそれぞれ自ら維持することで、ヘッドバンド５１も同様に、長手方向に非湾曲で直状に延びる非使用状態と、長手方向に湾曲する使用状態とを、選択的に維持する。
【００１５】
ヘッドバンド５１の両端部近傍には、プレート１を含み貫かれた貫通孔１ｂ，１ｃが形成されている。
【００１６】
図２に示されるように、本体部１１，１２は、内部にスピーカユニット（不図示）を収納したハウジング１１ａ，１２ａと、先端に雄ねじが形成されボールピボットの支持側部材として機能する支持軸部１１ｂ，１２ｂと、を有する。
ハウジング１１ａは、支持軸部１１ｂに対しボールピボット係合によって揺動自在（矢印参照）に支持されている。同様に、ハウジング１２ａは、支持軸部１２ｂに揺動自在に支持されている。
【００１７】
図２に示されるように、本体部１１，１２は、各支持軸部１１ｂ，１２ｂが貫通孔１ｂ，１ｃにプレート１の面１ａとは反対側の面１ｄ側から通されて、それぞれ締結部材１４ａ，１４ｂでねじ締結されることで、ヘッドバンド５１に取り付けられる。
【００１８】
本体部１１，１２からは、一端側が各スピーカユニットに接続されたケーブル１３ａ，１３ｂが引き出されている。
そして、ケーブル１３ａ，１３ｂは、一つに纏められると共に、他端側に音楽再生装置などに接続するためのプラグ１３ｃが設けられて、接続ケーブル１３を構成している。
これにより、本体部１１，１２は、接続ケーブル１３を介して音楽再生装置から供給された音声信号によって、図１の下方（矢印）に向け音を出力する。
【００１９】
以上詳述したヘッドホン５２を使用する場合は、図５に示されるように、一点鎖線で示される第１状態（非使用状態）で使用者の頭部Ｈに載せ、ヘッドバンド５１の両端部に対し手などで下方に折り曲げるような力を付与することで、プレート１の幅方向の湾曲が解除し、ヘッドバンド５１は第２状態に向け状態遷移する。
【００２０】
ここで、第２状態のヘッドバンド５１の平均曲率半径Ｒ２ｖは、頭部Ｈでの使用状態の平均曲率半径Ｒｈｖよりも小さく設定されている。
そのため、図２の実線で示されるヘッドホン５２の装着状態において、ヘッドバンド５１は、第２状態には完全に達せず、左右の耳は、本体部１１，１２によって弾性的に付勢される。
そのため、ヘッドホン５２は、装着した頭部Ｈから容易に外れることはなく、また、プレート１の平均曲率半径Ｒ２ｖを適切に設定することで、使用者は、ヘッドホン５２の使用の際に、適度な圧接感による良好な装着感触が得られる。
【００２１】
上述のように、ヘッドバンド５１及びそれを備えたヘッドホン５２は、プレート１を第１状態にすることで全体が薄い直状態様となるため、鞄などの収納具へ入れやすく高い収納性を有する。また、構造が簡単で部品点数が少ないため、低コスト化が可能である。また、従来のヘッドバンドを折りたたむためのヒンジを有してなく構造が簡単なため、高耐久性を有し、壊れにくいものである。
【００２２】
ヘッドバンド５１は、プレート１を被覆部２で完全に被覆していなくてもよく、プレート１の一部が露出しているものであってもよい。また、被覆部２を備えず、プレート１のみで構成されていてもよい。
【００２３】
以上詳述した実施例は、上述の構成に限定されるものではなく、本発明の要旨を逸脱しない範囲において変形した変形例としてもよい。
【００２４】
ヘッドバンド５１は、プレート１の全体を被覆部２で覆ったものとして説明したが、変形例として、本体部１１，１２が取り付けられた端部を除く中間部分の被覆部２を、プレート１に通された複数の規制ブロック２１(以下、単にブロック２１と称する)に置き換えたヘッドバンド５１Ａとしてもよい。
【００２５】
図６は、ヘッドバンド５１Ａが長手方向に直状に延びた第１状態となっているヘッドホン５２Ａを説明する一部断面の側面図である。
ヘッドバンド５１Ａは、本体部１１，１２が取り付けられている両端部側が、実施例のヘッドバンド５１と同様に、プレート１が樹脂で被覆された被覆部２２，２３とされている。
そして、プレート１の、両端の被覆部２２，２３の間の範囲ＡＲａに、複数のブロック２１が通され、概ね互いの隙間なく配置されている。
【００２６】
図７は、プレート１が通された状態のブロック２１を説明するための斜視図である。図６及び図７に締めされるように、ブロック２１は、プレート１の厚み方向に薄い扁平の四角管状に形成され、その貫通孔２１ａにプレート１が通されている。貫通孔２１ａの下面２１ａ１は、長手方向において中央部が突出した弧状の曲面とされている。
【００２７】
ブロック２１の端面２１ｂ，２１ｃは、ヘッドホン５２Ａの使用状態で内となる側に向かうに従って先細りとなるよう所定の角度θａで傾斜した傾斜面となっている。
すなわち、ヘッドホン５２Ａの頭部に装着した使用状態において、ブロック２１は、ヘッドバンド５１Ａの長手方向に沿った縦断面形状において頭部側がすぼまる台形を呈する。
所定の角度θａは、図６に示されるように、プレート１が第１状態にあるときの面１ａに直交し幅方向に延在する直交面Ｌａとの角度で定義される。
【００２８】
上述のヘッドホン５２Ａにおいて、ヘッドバンド５１Ａを第２状態に向け湾曲させた状態が図８に示される。
ブロック２１は、両側の端面２１ｂ，２１ｃが傾斜面とされて使用状態で頭部側がすぼまる台形形状とされていることから、範囲ＡＲａの平均曲率半径がある程度小さくなると、隣接するブロック２１における一方の端面２１ｂと他方の端面２１ｃ同士が当接し、範囲ＡＲａにおける平均曲率半径が所定値未満にならないように湾曲進行が規制される。
換言するならば、所定の角度θａを、ヘッドバンド５１Ａに対し望む湾曲の曲率半径に対応した値とし、その角度θａを有するブロック２１をプレート１に対し挿通配置することで、ヘッドバンド５１Ａの第２状態に向け湾曲させたときに規制される平均曲率半径Ｒ２２ｖを任意に設定することができる。
【００２９】
このヘッドホン５２Ａは、ヘッドバンド５１Ａが長手方向に湾曲した態様での平均曲率半径Ｒ２ｖを、プレート１を交換することなくブロック２１の形状（角度θａ）により任意に設定できる。そのため、使用者の頭部Ｈの形状に対し、よりフィットした装着感が容易に得られる。
【００３０】
また、被覆部２２，２３を、プレート１の端部から挿抜可能とし、ブロック２１もプレート１の端部から抜き差しによって交換可能としてもよい。
これにより、各使用者の頭部Ｈへの最適形状化をより容易に図ることができ、使用者自身での最適調整も可能となって好ましい。
【００３１】
本体部１１，１２は、ヘッドバンド５１（５１Ａ）に対して着脱自在とした例を説明したが、着脱不能としてヘッドバンド５１（５１Ａ）に対し固定されていてもよい。
本体部１１，１２を着脱自在としておけば、鞄などに、本体部１１，１２を取り外して収納可能となって、収納性がより向上するので好ましい。
【符号の説明】
【００３２】
１  プレート、    １ａ，１ｄ  面、    １ｂ，１ｃ  貫通孔
２  被覆部
１１，１２  本体部
１１ａ，１２ａ  ハウジング、    １１ｂ，１２ｂ  支持軸部
１３  接続ケーブル
１３ａ、１３ｂ  ケーブル、    １３ｃ  プラグ
１４ａ，１４ｂ  締結部材
２１  ブロック（規制ブロック）
２１ａ  貫通孔、    ２１ａ１  下面、    ２１ｂ，２１ｃ  端面
２２，２３  被覆部
５１，５１Ａ  ヘッドバンド
５２，５２Ａ  ヘッドホン
ＡＲａ  範囲
Ｌａ  直交面
Ｈ  頭部
Ｒ２ｖ，Ｒｈｖ，Ｒ２２ｖ  平均曲率半径
θａ  角度
【図１】
2018207393.tif 000003
【図２】
2018207393.tif 000004
【図３】
2018207393.tif 000005
【図４】
2018207393.tif 000006
【図５】
2018207393.tif 000007
【図６】
2018207393.tif 000008
【図７】
2018207393.tif 000009
【図８】
2018207393.tif 000010
【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
ヘッドホンにおける音を出力する本体部を支持可能とし、
直状の第１状態と湾曲状の第２状態とを選択的に維持するヘッドバンド。
【請求項２】
前記第１状態と前記第２状態とを選択的に維持する金属のプレートを有することを特徴とする請求項１記載のヘッドバンド。
【請求項３】
少なくとも前記金属のプレートの一部を覆う被覆部をさらに有することを特徴とする請求項２記載のヘッドバンド。
【請求項４】
前記金属のプレートの第２状態における平均曲率半径は所定値未満であることを特徴とする請求項２又は請求項３記載のヘッドバンド。
【請求項５】
前記ヘッドバンドの 前記第２状態における平均曲率半径が所定値未満になることを規制する規制ブロックを有することを特徴とする請求項１又は請求項２記載のヘッドバンド。
【請求項６】
請求項１乃至請求項５のいずれか1項に記載のヘッドバンドと、
前記ヘッドバンドに支持され音を出力するための本体部と、
を備えたヘッドホン。
【請求項７】
前記本体部は、前記ヘッドバンドに対し着脱自在とされていることを特徴とする請求項６記載のヘッドホン。

【手続補正２】
【補正対象書類名】明細書
【補正対象項目名】０００６
【補正方法】変更
【補正の内容】
【０００６】
上記の課題を解決するために、本発明は次の構成を有する。
１）ヘッドホンにおける音を出力する本体部を支持可能とし、直状の第１状態と湾曲状の第２状態とを選択的に維持するヘッドバンドである。
２）１）に記載されたヘッドバンドと、前記ヘッドバンドに支持され音を出力するための本体部と、を備えたヘッドホンである。
【手続補正４】
【補正対象書類名】明細書
【補正対象項目名】０００８
【補正方法】変更
【補正の内容】
【０００８】
【図１】図１は、本発明の実施の形態に係るヘッドホンの実施例であるヘッドホン５２の第１の姿勢態様を説明するための斜視図である。
【図２】図２は、ヘッドホン５２の構成を説明するための組立図である。
【図３】図３（ａ)及び（ｂ）は、ヘッドホン５２のヘッドバンド５１が備えるプレート１の状態遷移を説明するための横断面図である。
【図４】図４（ａ)及び（ｂ）は、プレート１の状態遷移を説明するための側面図である。
【図５】図５は、ヘッドホン５２の頭部Ｈへの装着方法について説明するための斜視図である。
【図６】図６は、ヘッドホン５２の変形例であるヘッドホン５２Ａの第１状態を説明するための断面図である。
【図７】図７は、ヘッドホン５２Ａのヘッドバンド５１Ａが有するブロック２１を説明するための斜視図である。
【図８】図８は、ヘッドホン５２Ａの使用状態を説明するための部分断面の側面図である。
【手続補正５】
【補正対象書類名】明細書
【補正対象項目名】００１９
【補正方法】変更
【補正の内容】
【００１９】
以上詳述したヘッドホン５２を使用する場合は、図５に示されるように、二点鎖線で示される第１状態（非使用状態）で使用者の頭部Ｈに載せ、ヘッドバンド５１の両端部に対し手などで下方に折り曲げるような力を付与することで、プレート１の幅方向の湾曲が解除し、ヘッドバンド５１は第２状態に向け状態遷移する。
【手続補正６】
【補正対象書類名】明細書
【補正対象項目名】００２６
【補正方法】変更
【補正の内容】
【００２６】
図７は、プレート１が通された状態のブロック２１を説明するための斜視図である。図６及び図７に示されるように、ブロック２１は、プレート１の厚み方向に薄い扁平の四角管状に形成され、その貫通孔２１ａにプレート１が通されている。貫通孔２１ａの下面２１ａ１は、長手方向において中央部が突出した弧状の曲面とされている。
【手続補正７】
【補正対象書類名】図面
【補正対象項目名】図８
【補正方法】変更
【補正の内容】
【図８】
2018207393.tif 000011